(57)【特許請求の範囲】
【請求項１】
互いに捩られた２本の針金を有する芯材と、
前記２本の針金に挟持されることにより前記芯材に固定されて該芯材から放射状に延びる多数本の第１ブラシ毛と、
前記第１ブラシ毛よりも軟化点温度が低く、該第１ブラシ毛と混在するように前記芯材に固定されて少なくとも一部が該芯材から途中までは放射状に延び途中位置で屈曲してなる多数本の第２ブラシ毛とを有することを特徴とするマスカラブラシ。
【請求項２】
前記第１ブラシ毛が、フッ素系樹脂からなるブラシ毛であることを特徴とする請求項１記載のマスカラブラシ。
【請求項３】
前記第２ブラシ毛が、ポリアミド又はポリブチレンテレフタレートからなるブラシ毛であることを特徴とする請求項１又は２記載のマスカラブラシ。
【請求項４】
多数本の第１ブラシ毛と該第１ブラシ毛よりも軟化点温度が低い多数本の第２ブラシ毛を混在させて並列に並んだ状態に２本の針金の間に挟持させ、該２本の針金を捩ることにより、該第１ブラシ毛および該第２ブラシ毛を、捩られた状態の該２本の針金からなる芯材の周りに螺旋状の配列に、かつこれら第１ブラシ毛と第２ブラシ毛のいずれもが放射状に延びた状態に、芯材に固定して切り揃える第１工程と、
前記芯材を取り巻く周回方向の少なくとも一部領域についてヒータに接した状態に配置することで前記第１ブラシ毛および前記第２ブラシ毛を前記芯材から延びる途中位置で折り曲げて、該第１ブラシ毛の軟化点温度よりも低く該第２ブラシ毛の軟化点温度よりも高い温度雰囲気に晒す第２工程とを有することを特徴とするマスカラブラシの製造方法。
【発明の詳細な説明】
【技術分野】
【０００１】
本発明は、マスカラ液を睫毛に塗布するマスカラブラシおよびそのマスカラブラシの製造方法に関する。
【背景技術】
【０００２】
従来のマスカラブラシは、直線形状の芯材と、その芯材に固定されて放射状に延びる多数本のブラシ毛を有する。この多数本のブラシ毛は特別な加工を施さないときは芯材から整然と放射状に延びた形状を有する。一方、マスカラ液はブラシ毛表面の濡れ性とマスカラ液自体の表面張力によって保液性が決まるため、ブラシ毛が整然と並んでいるだけではマスカラ液の流れは良好であっても保液性には乏しい。保液性が劣っていると、マスカラブラシに保持されたマスカラ液が一度に大量に睫毛に移ってしまいベタ塗りとなったり液滴の塊を生じたりなど、良好に仕上げることが難しくなってしまうおそれがある。また、保液性に乏しいと、液継ぎを頻繁に行なう必要を生じさせ、マスカラ化粧作業をやり難くする。【０００３】
一方、保液性のみを考えてブラシ毛に加工を施すと、睫毛がブラシ内部に十分には入り込み難くなり、睫毛に塗布されるマスカラ液量が低減し、睫毛をからめ取るように保持するキャッチアップ感や睫毛のボリウムアップ効果が十分ではなくなるおそれがある。したがって、マスカラブラシには十分な量のマスカラ液を保持する保液性と、十分なキャッチアップ感やボリウムアップ効果を得ることの両者を実現することが求められる。【０００４】
この両者を実現するため、特許文献１には、溶融温度の異なる２種類のブラシ毛を混在させ、溶融温度の低いブラシ毛の先端部分を溶融させて長さの短いブラシ毛とするとともにそのブラシ毛の先端にそのブラシ毛の径よりも太径の球形の塊りを形成することが提案されている。これがうまく実現すれば、マスカラ液の保液性とキャッチアップ感やボリウムアップ効果とを両立させることが可能である。【０００５】
また特許文献２には、芯材を取り巻く周回方向複数領域についてブラシ毛を加熱して折り曲げることにより、その折り曲げたブラシ毛で保液性を確保し、その折り曲げたブラシ毛と折り曲げられずに長く延びたブラシ毛との境界領域でキャッチアップ感等を達成することが提案されている。
【先行技術文献】
【特許文献】
【０００６】
【特許文献１】特開平５−２２８０１８号公報
【特許文献２】特開２００３−１８９９３０号公報
【発明の概要】
【発明が解決しようとする課題】
【０００７】
ここで、特許文献１に開示された、溶融温度の低いブラシ毛の先端部分を溶融させてそのブラシ毛の先端に球形の塊を作る提案は、そのブラシ毛の先端部分が溶融するつもりがそのブラシ毛の、芯線に固定された根元まで一気に溶融してしまい、また、加熱源とそのブラシ毛先端との間の微妙な距離差や熱源の温度分布などによって、先に溶融してしまうブラシ毛となかなか溶融を開始しないブラシ毛が混在するなど、ブラシ毛の長さを適切に保ちつつ適切な塊りを作るという制御が極めて難しく、実用的ではない。【０００８】
また、特許文献２に開示された、芯材を取り巻く周回方向複数領域についてブラシ毛を加熱して折り曲げる提案は、保液性とキャッチアップ感等を共存させることにある程度成功している。しかしながら、周回方向について役割りを分担しているため、ユーザはそのマスカラブラシを睫毛に当てるときにその周回方向の角度を気にして、先ずは折り曲げられていないブラシ毛の領域で睫毛をブラシ毛の奥に入り込ませ、ブラシを回転させてブラシ毛が折り曲げられている領域に睫毛を当てるなど、角度を調整しながら使用する必要があり、使い勝手が十分に良好であるとは言い難い。【０００９】
本発明は、上記事情に鑑み、保液性と良好なキャッチアップ感等の達成とを両立させるとともに、使い勝手の良いマスカラブラシを提供することを目的とする。
【課題を解決するための手段】
【００１０】
上記目的を達成する本発明のマスカラブラシは、
芯材と、
芯材に固定されてその芯材から放射状に延びる多数本の第１ブラシ毛と、
第１ブラシ毛よりも軟化点温度が低く、第１ブラシ毛と混在するように芯材に固定されて少なくとも一部が芯材から途中までは放射状に延び途中位置で屈曲してなる多数本の第２ブラシ毛とを有することを特徴とする。【００１１】
本発明のマスカラブラシは、第２ブラシ毛の少なくとも一部が折り曲げられているため保液性が確保されており、また芯材を取り巻く周回方向のいずれの箇所においても第１ブラシ毛が立っているため睫毛がブラシの奥に入り易い。ブラシの奥に入り込んだ睫毛は放射状に延びる第１ブラシ毛と折り曲げられている第２ブラシ毛とに挟まれた状態となり、良好なキャッチアップ感等を達成できる。また、本発明のマスカラブラシによれば、基本にはブラシの周回方向の角度を気にする必要はなく、使い勝手の良いマスカラブラシが実現する。【００１２】
ここで、本発明のマスカラブラシにおいて、上記の第１ブラシ毛は、フッ素系樹脂からなるブラシ毛であることが好ましく、また上記の第２ブラシ毛は、ポリアミド又はポリブチレンテフタレートからなるブラシ毛であることが好ましい。【００１３】
フッ素樹脂であれば折曲げ加熱後に元の形状に戻る軟化点温度の樹脂を選択し易く、ポリアミド又はポリブチレンテフタレートであれば折曲げ加熱後にその折り曲げた形状が維持される樹脂を選択し易く、本発明のマスカラブラシ用として好適である。【００１４】
また、上記目的を達成する本発明のマスカラブラシの製造方法は、
多数本の第１ブラシ毛と第１ブラシ毛よりも軟化点温度が低い多数本の第２ブラシ毛を、これら第１ブラシ毛と第２ブラシ毛が互いに混在しいずれもが放射状に延びた状態に芯材に固定する第１工程と、
芯材を取り巻く周回方向の少なくとも一部領域について第１ブラシ毛および第２ブラシ毛を芯材から延びる途中位置で折り曲げて、第１ブラシ毛の軟化点温度よりも低く第２ブラシ毛の軟化点温度よりも高い温度雰囲気に晒す第２工程とを有することを特徴とする。【００１５】
本発明のマスカラブラシの製造方法は、軟化点温度の異なる第１ブラシ毛と第２ブラシ毛とを混在させてそれら両者を折り曲げて加熱し軟化点温度の低い第２ブラシ毛のみを軟化させて折り曲げるものであり、制御が容易であって、保液性とキャッチアップ感等の両者を両立させ、かつ使い勝手の良いマスカラブラシの、実用的な製造方法が達成される。【００１６】
ここで本発明のマスカラブラシの製造方法において、上記第１工程が、多数本の第１ブラシ毛と多数本の第２ブラシ毛を混在させて並列に並んだ状態に２本の針金の間に挟持させ、それら２本の針金を捩ることにより、第１ブラシ毛および第２ブラシ毛を、捩られた状態の２本の針金からなる芯材の周りに螺旋状の配列に固定する工程であってもよい。【００１７】
マスカラブラシは、従来より、２本の針金の間にブラシ毛を挟持させてそれら２本の針金を捩るという製法が採用されており、本発明のマスカラブラシの製造方法は、この従来からの製法にも合致している。
【発明の効果】
【００１８】
以上説明した通り、本発明によれば、保液性と良好なキャッチアップ感等を両立し、かつ使用勝手の良いマスカラブラシが実現し、またそのマスカラブラシを実用的に製造することができる。
【図面の簡単な説明】
【００１９】
【図１】本発明のマスカラブラシの一実施形態を含むマスカラ用塗布具の一例を示した図である。
【図２】図１に示すマスカラ用塗布具を容器とキャップとに分けて示した図である。
【図３】キャップの軸の先端に固定されたマスカラブラシの製造途中段階の状態を拡大して示した図である。
【図４】折曲げ加工用のヒーターの第１例を示した図である。
【図５】ヒーターから取り出した後のブラシの第１例の模式図である。
【図６】ヒーターから取り出した後のブラシの第２例の模式図である。
【図７】折曲げ加工用のヒーターの第２例を示した図である。
【図８】図７のヒーターを用いて作製されたブラシの一例を示す模式図である。
【発明を実施するための形態】
【００２０】
以下、本発明の実施の形態について説明する。
【００２１】
図１は、本発明のマスカラブラシの一実施形態を含むマスカラ用塗布具の一例を示した図である。
【００２２】
また、図２は、図１に示すマスカラ用塗布具を容器とキャップとに分けて示した図である。
【００２３】
これら図１，図２において、左半分は外観、右半分は縦断面を示している。
【００２４】
このマスカラ用塗布具１は、図２に示すように、キャップ２と容器３とからなる。ここでは容器３について先に説明する。
【００２５】
この容器３は、例えばプラスチック製の容器本体３１とゴム製のしごき部材３２とから構成されている。
【００２６】
容器本体３１は、その容器本体３１の内部に通じる開口３１１ａが設けられた開口部３１１を有する。この開口部３１１の外周面には雄ねじ３１１ｂが形成されている。この開口部３１１には、しごき部材３２が図示のように嵌り込んでいる。このしごき部材３２は、ほぼ円筒形であって、下端部が窄まっている。またこのしごき部材３２の上端部は少し外向に張り出ていて、このしごき部材３２を容器本体３１の開口部３１１ａに嵌め込んだときに容器本体３１の開口部３１１の上端縁の上に乗るようになっている。
【００２７】
このしごき部材３２は、ほぼ円筒形であって貫通孔が形成されているため、容器本体３１としごき部材３２とを合わせた容器３としても開口３１１ａを有している。
【００２８】
キャップ２は、プラスチック製のキャップ本体２０と、容器３の内部に延びる軸２１と、その軸２１の先端に固定されたブラシ２２を有する。このキャップ２は、容器３の雄ねじ３１１ｂに螺合する雌ねじ２３を有し、軸２１はその雌ねじ２３よりも奥でキャップ本体２０に支持されている。
【００２９】
このキャップ２を容器３に取り付けると、図１に示すようにブラシ２２は容器３の内部の、しごき部材３２よりも奥側に収容される。この容器３内にはマスカラ液が入っており、その容器３内のマスカラ液がブラシ２２に付着する。容器３からキャップ２を取り外すと、ブラシ２２がしごき部材３２の下端部の窄まった部分と擦れてブラシ２２に付着したマスカラ液の一部が容器３に戻され、適量のマスカラ液が付着した状態のブラシ２２が容器３から取り出される。そこでキャップ本体２０を摘んだままブラシ２２を睫毛に当てることにより、ブラシ２２に付着したマスカラ液が睫毛に塗布される。
【００３０】
図３は、キャップの軸の先端に固定されたブラシの製造途中段階の状態を拡大して示した図である。ここで図３（Ａ）は側面図、図３（Ｂ）は、図３（Ａ）の左側から見た模式図である。
【００３１】
ここでは、この図３に示す製造途中段階のものをブラシ２２Ａと称する。
【００３２】
このブラシ２２Ａは、直線状に延びる芯材２２１と、芯材２２１に固定されてその芯材２２１から放射状に延びる多数本のブラシ毛２２２とを有する。ここでは、ブラシ毛２２２は全体として円柱形状を成す。その直径をここではＤ１とする。
【００３３】
このブラシ２２Ａの芯材２２１は互いに捩られた２本の針金からなる。捩る前の２本の針金の間に多数のブラシ毛２２２を並列に並べてそれらのブラシ毛２２２を２本の針金で挟持させ、その状態のまま２本の針金を捩る。これによりブラシ毛２２２は、捩られた状態の２本の針金からなる芯材２２１の周りに螺旋状に配置された状態にその芯材２２１に固定される。
【００３４】
ここで、このブラシ２２Ａのブラシ毛は、互いに同じ長さに切り揃えられた多数本の第１のブラシ毛２２２ａと多数本の第２のブラシ毛２２２ｂとからなる。第１のブラシ毛２２２ａと第２のブラシ毛２２２ｂは、この図３では区別はつかない。
【００３５】
これら多数本の第１のブラシ毛２２２ａと多数本の第２のブラシ毛２２２ｂは、これら第１のブラシ毛２２２ａと第２のブラシ毛２２２ｂのうちの一方のブラシ毛のみが集中した領域が生まれないように、互いに十分に無作為に混在している。
【００３６】
ここで、第２のブラシ毛２２２ｂは第１のブラシ毛２２２ａよりも軟化点温度が低く、これらのブラシ毛２２２を折り曲げて、第２のブラシ毛２２２ｂの軟化点温度よりも高い温度であって、かつ第１のブラシ毛２２２ａの軟化点温度よりも低い温度雰囲気に晒し、その後常温に戻して折り曲げの力を解除すると、第１のブラシ毛２２２ａは常に軟化点温度未満の温度雰囲気であったため、元の放射状に真直ぐに延びた形状に戻り、第２のブラシ毛２２２ｂは軟化点温度を超える温度雰囲気にあったため折り曲げられたままの形状となる。このとき、第１のブラシ毛２２２ａと第２のブラシ毛２２２ｂとして軟化点温度が十分に離れた材料を用いることにより、第２のブラシ毛２２２ｂを折り曲げるために調整される温度としてかなり大きな温度変動範囲が許容され、その温度雰囲気に晒しておく時間もかなり大きな変動幅が許容される。したがって温度制御および時間制御が容易であり、製造に適している。
【００３７】
ここで、一例として、第１のブラシ毛２２２ａとしては、フッ素系樹脂、例えばＰＦＡ（化学名：テトラフルオロエチレン・パーフルオロアルキルビニルエーテル共重合体）が採用され、第２のブラシ毛２２２ｂとしては、ＰＡ（ポリアミド）又はＰＢＴ（ポリブチレンテレフタレート）等が採用される。ＰＦＡの軟化点温度は一例として約２６０℃、ＰＡの軟化点温度は一例として１００℃前後である。したがってこの場合、ブラシ毛を折り曲げて例えば１２０℃〜１８０℃程度の温度雰囲気におくことによって、第２のブラシ毛２２２ｂ（ＰＡ）のみを折曲げ加工することができる。
【００３８】
図４は、折曲げ加工用のヒーターの第１例を示した図である。
【００３９】
このヒーター４は円筒形を有し、その円筒形の内壁面４１が熱せられる構造となっている。このヒーター４に、図３に示すブラシ２２が差し込まれる。ここで、このヒーター４の内壁面４１の内径Ｄ２は、図３に示すブラシ２２の直径Ｄ１よりも小さい。したがってこのヒーター４の中に図３のブラシ２２を差し込むと、ブラシ毛２２２の先端部分が折り曲げられた状態となる。その状態でヒーター４でブラシ毛２２２を加熱する。この加熱の温度は、第１のブラシ毛２２２ａの軟化点温度未満であって、第２のブラシ毛２２２ｂの軟化点温度以上の温度である。第２のブラシ毛２２２ｂが十分に軟化するまでこの温度を保ち、その後ヒーター４を切り、常温に近い温度にまで低下した後、ブラシ２２をこのヒーター４から取り出す。
【００４０】
図５は、ヒーターから取り出した後のブラシの第１例の模式図である。
【００４１】
ヒーター４を差し込んだ際にブラシ毛２２２は、差込み方向後方に折り曲げられる。このため、ヒーター４から取り出した後のブラシ２２Ｂの、第２のブラシ毛２２２ｂは、差込み方向後方（図５に示す矢印Ｃ方向）に折り曲がった状態となっている。ただし、第１のブラシ毛２２２ａは芯材２２１に対し放射状に延びた元の形状に回復している。
【００４２】
この図５に示す形状のブラシ２２Ｂを図１，図２を参照して説明したマスカラ用塗布具１のブラシとして採用すると、折れ曲がった第２のブラシ毛２２２ｂにより保液性が向上する。また、第１のブラシ毛２２２ａが放射状に延びていることから睫毛がブラシの毛の奥まで入り込んで、放射状に延びる第１のブラシ毛２２２ａと折れ曲がることによりその第１のブラシ毛２２２ａとは別の方向（矢印Ｃ方向）に延びる第２のブラシ毛２２２ｂとの間に睫毛が挟まれて、睫毛がそこから抜け難くなり、十分なキャッチアップ感を与えることができ、睫毛の十分なボリウムアップ効果を得ることができる。
【００４３】
図６は、ヒーターから取り出した後のブラシの第２例の模式図である。
【００４４】
ここでは、図３に示す段階のブラシ２２Ａを図４に示すヒーター４に差し込んで芯材２２１を中心に回転させる。すると、ブラシ毛２２２は、芯材２２１を周回する方向に折り曲げられる。その後は、図５に示す第１例のブラシを作製するのと同様にして図６に示すブラシ２２Ｃを作製して図１，図２に示すマスカラ用塗布具のブラシ２２として使用する。
【００４５】
この図６に示すように、第２のブラシ毛２２２ｂを芯材２２１を周回する方向に折り曲げることも可能である。
【００４６】
図７は、折曲げ加工用のヒーターの第２例を示した図である。
【００４７】
このヒーター５は、ほぼ三角形の筒形状を有する。このヒーター５に図３に示すブラシ２２Ａを挿入すると、芯材２２１を取り巻く周回方向について３つの領域でブラシ毛２２２が折り曲げられ、それらブラシ毛２２２が折り曲げられる領域どうしの間にはブラシ毛２２２が折り曲げられずに延びたままとなる領域が残る。この状態でヒーター５により熱を加えると、周回方向３つの領域で第２のブラシ毛２２２ｂが折れ曲がったブラシが作製される。
【００４８】
図８は、図７のヒーターを用いて作製されたブラシの一例を示す模式図である。
【００４９】
この図８に示すブラシ２２Ｄでは、芯材２２１の周回方向３つの領域で第２のブラシ毛２２２ｂが折れ曲がっており、それら３つの領域を除く領域では第２のブラシ毛２２２ｂも第１のブラシ毛２２２ａとともに放射状に延びている。
【００５０】
この図８に示すブラシ２２Ｄの場合、第１のブラシ毛２２２ａが放射状に延びて第２のブラシ毛２２２ｂが折り曲げられている領域Ｒ１では、領域を分けずにその領域Ｒ１で保液性とキャッチアップ感等の双方が達成される。第１のブラシ毛２２２ａと第２のブラシ毛２２２ｂの双方が放射状に延びている領域Ｒ２は、例えば睫毛を掃く用途に使用できる。あるいは第１のブラシ毛２２２ａと第２のブラシ毛２２２ｂの双方が放射状に延びる領域Ｒ２を、睫毛をさらに奥まで入り込ませるための領域として使用してもよい。
【００５１】
この例に示すように、第２のブラシ毛２２２ｂは、一部を折り曲げずに放射状に延びたままにしておくことも可能である。
【００５２】
ここで、第２のブラシ毛２２２ｂを、芯材２２１からどの位離れた位置で折り曲げるか、どの方向に折り曲げるか、一部のみを折り曲げるか全てを折り曲げるかは、マスカラ液の粘度とも関連し、また保液性の調整やどの程度のキャッチアップ感を与えるかといった設計思想により調整される。
【００５３】
尚、ここでは、図３を参照して第１のブラシ毛２２２ａと第２のブラシ毛２２２ｂは同じ長さに切り揃えられる旨説明したが、それらのブラシ毛は必ずしも同じ長さに切り揃えられる必要はなく、保液性やキャッチアップ感の調整のために互いに長さを異ならせてもよい。第１のブラシ毛２２２ａと第２のブラシ毛２２２ｂの太さについても同様である。
【００５４】
また、ここでは、図５，図６，図８に示す形状のブラシを例示したが、本発明のマスカラブラシは、これらの形状に限定されるものではなく、第２のブラシ毛を折り曲げることで保液性とキャッチアップ感等が調整された様々な形状のブラシが本発明に包含されるものである。
【符号の説明】
【００５５】
１        マスカラ用塗布具
２        キャップ
３        容器
４，５        ヒーター
２０        キャップ本体
２１        軸
２２，２２Ａ，２２Ｂ，２２Ｃ，２２Ｄ        ブラシ
２３        雌ねじ
３１        容器本体
３２        しごき部材
４１        内壁面
２２１        芯材
２２２        ブラシ毛
２２２ａ        第１のブラシ毛
２２２ｂ        第２のブラシ毛
３１１        開口部
３１１ａ        開口
３１１ｂ        雄ねじ
【図１】
0005782136.tif 000002
【図２】
0005782136.tif 000003
【図３】
0005782136.tif 000004
【図４】
0005782136.tif 000005
【図５】
0005782136.tif 000006
【図６】
0005782136.tif 000007
【図７】
0005782136.tif 000008
【図８】
0005782136.tif 000009